(57)【要約】【課題】本発明は、原稿幅の検出結果に基づいて自動的に原稿サイズに対応するロール紙を選択して原稿サイズに対応する長さで切断する画像形成装置に関する。【解決手段】複写装置１は、読取部１２への原稿のセット方向として縦方向と横方向のいずれかが原稿タテ・ヨコ設定部１９で設定され、読取部４の読み取る縦方向または横方向の複数の原稿サイズが原稿定形サイズ設定部２０で設定されると、原稿幅検知部１０の検知する原稿の主走査幅に基づいて原稿タテ・ヨコ設定部１９で設定された原稿セット方向と原稿定形サイズ設定部２０で設定された原稿サイズを参照して原稿サイズを決定し、決定した原稿サイズに応じて、幅サイズの異なる複数のロール紙を収納する転写紙給紙部７から１つのロール紙を選択して搬送し、当該ロール紙を原稿サイズに対応する長さにロール紙カット部１８で切断する自動用紙選択切断処理を実行する。【選択図】          図１
2006044159.tif 000002
【特許請求の範囲】
【請求項１】
少なくとも幅サイズの異なる複数のロール紙を収納して当該複数のロール紙の１つを選択して給紙する給紙手段と、搬送される原稿を主走査及び副走査して当該原稿の画像を読み取る読取手段と、前記読取手段の読み取った原稿の画像に基づいて前記給紙手段から給紙されるロール紙に画像を形成する画像形成手段と、前記給紙手段から前記画像形成手段に搬送される前記ロール紙を所定の長さで切断するカット手段と、を備えた画像形成装置において、前記読取手段への前記原稿のセット方向として縦方向と横方向のいずれかを設定する原稿方向設定手段と、前記読取手段の読み取る縦方向及び横方向の複数の原稿サイズを設定する原稿サイズ設定手段と、前記読取手段にセットされた原稿の少なくとも主走査幅を検知する原稿サイズ検知手段と、を備え、前記原稿サイズ検知手段の検知する前記原稿の主走査幅に基づいて前記原稿方向設定手段で設定された前記原稿セット方向と前記原稿サイズ設定手段で設定された原稿サイズを参照して、当該原稿のサイズを決定し、前記ロール紙を当該決定した原稿サイズに対応するサイズの長さに前記カット手段で切断する自動用紙選択切断処理を実行することを特徴とする画像形成装置。
【請求項２】
前記画像形成装置は、ロール紙選択切断モードとして、前記原稿サイズに対応する幅サイズの前記ロール紙を選択して当該ロール紙を当該原稿サイズに対応する長さで切断する自動用紙選択切断モードと当該自動用紙選択切断モード以外の複数の切断モードを有し、当該ロール紙選択切断モードを選択する切断モード選択手段を備え、当該切断モード選択手段で前記自動用紙選択モードが選択されているときにのみ、前記自動用紙選択切断処理を実行する切断モード対応自動用紙選択処理を実行することを特徴とする請求項１記載の画像形成装置。
【請求項３】
前記画像形成装置は、前記切断モード対応自動用紙切断選択処理機能のオン／オフを選択する機能選択手段を備え、当該機能選択手段で前記切断モード対応自動用紙切断選択処理機能のオンが選択されているときにのみ、前記切断モード対応自動用紙切断選択処理を実行することを特徴とする請求項２記載の画像形成装置。
【請求項４】
前記画像形成装置は、前記原稿方向設定手段で設定された原稿のセット方向に対応して前記原稿サイズ設定手段での原稿サイズの設定における原稿の方向を自動設定する原稿方向自動設定処理を実行することを特徴とする請求項１から請求項３のいずれかに記載の画像形成装置。
【発明の詳細な説明】
【技術分野】
【０００１】
本発明は、画像形成装置に関し、詳細には、収納する複数サイズのロール紙のうち原稿サイズに対応するロール紙を原稿幅の検出結果に基づいて選択するとともに、原稿サイズに対応する長さで切断する画像形成装置に関する。
【背景技術】
【０００２】
複写装置等の画像形成装置においては、画像を形成する転写紙を収納する給紙部を複数用意して、各給紙部に用紙サイズの異なるカット転写紙や幅サイズの異なるロール紙が収納可能となっており、原稿のサイズに合わせて手動でカット転写紙あるいはロール紙を選択する手動選択モードと、原稿のサイズに合わせて自動でカット転写紙あるいはロール紙を選択する自動選択モードと、を備えている。
【０００３】
そして、手動選択モードのときには、画像形成装置は、オペレータが操作部で原稿サイズに合わせて用紙サイズを選択操作し、当該選択操作された用紙サイズの転写紙の収納されている給紙部を駆動させて、用紙の搬送を行う。
【０００４】
したがって、画像形成装置は、手動選択モードのときには、オペレータが操作した時点で駆動させる給紙部が決定されているため、原稿の読取と転写紙の搬送動作を同時に開始して、速やかな画像形成を行うことができる。
【０００５】
一方、自動選択モードのときには、画像形成装置は、センサによる原稿のサイズの検出が完了して初めて駆動させる給紙部が決定される。すなわち、画像形成装置は、原稿挿入口にセットされる原稿の幅サイズ（原稿幅サイズ）を検知する原稿幅センサと、原稿挿入口から原稿読取位置に搬送される原稿の長さ（原稿長さ）を検知する原稿長センサと、が設けられており、これら原稿幅サイズの検知結果と原稿長センサの検知結果に基づいて原稿サイズを判別している。したがって、画像形成装置は、自動選択モードでは、原稿幅センサが原稿幅サイズを検出し、その後に、原稿長センサが原稿長さを検出して初めて原稿サイズが決定され、この決定された原稿サイズに基づいて転写紙サイズを決定して当該転写紙サイズの転写紙の収納されている給紙部を駆動することになる。
【０００６】
したがって、画像形成装置は、自動選択モードでは、原稿サイズが決定されるまでに時間を要するため、他のモードに比較して、給紙部の駆動が開始されるまでの時間が遅くなり、ファーストコピー時間が遅い。
【０００７】
そして、本出願人は、先に、原稿先端がＡＤＦ（Auto Document Fieder）の先端レジスト検知をオンするタイミングで用紙幅（原稿幅）を決定し、当該決定した用紙幅を用いて選択する給紙トレイを予測して、選択された給紙トレイの用紙幅に合わせて光学系のレンズの移動を開始させることで、レンズの移動終了タイミングを早め、ファーストコピー時間を向上させる画像形成装置を提案している（特許文献１参照）。
【０００８】
【特許文献１】特開平１０−１２３８８０号公報
【発明の開示】
【発明が解決しようとする課題】
【０００９】
しかしながら、上記従来技術にあっては、原稿幅を検出した段階で選択候補の給紙部（給紙トレイ）を決定することはできるが、最終的に給紙部が決定されるには、やはり、原稿長が検出されて、原稿サイズが決定された後となり、原稿サイズをより一層速やかに決定して、ファーストコピー時間をより一層短くして、利用性を向上させる上で改良の必要があった。特に、転写紙としてロール紙を用いる場合には、ロール紙を原稿長さに合わせて切断する必要があり、原稿長が決定されるまで、ロール紙の切断を行うことができず、ファーストコピー時間を短縮する上で、改良の必要があった。
【００１０】
そこで、請求項１記載の発明は、少なくとも幅サイズの異なる複数のロール紙を収納する給紙手段から複数のロール紙の１つを選択して画像形成手段に搬送するとともに、カット手段で当該搬送されるロール紙を切断し、画像形成手段で読取手段の読み取った原稿の画像を形成するに際して、読取手段への原稿のセット方向として縦方向と横方向のいずれかが原稿方向設定手段で設定され、読取手段の読み取る縦方向及び横方向の複数の原稿サイズが原稿サイズ設定手段で設定されると、原稿サイズ検知手段の検知する原稿の主走査幅に基づいて原稿方向設定手段で設定された原稿セット方向と原稿サイズ設定手段で設定された原稿サイズを参照して、当該原稿のサイズを決定し、ロール紙を当該決定した原稿サイズに対応するサイズの長さにカット手段で切断する自動用紙選択切断処理を実行することにより、原稿の主走査幅を検知するだけで、複数サイズのロール紙から原稿サイズに対応するロール紙を選択するとともに、原稿サイズに基づいて原稿の副走査長を決定して、ロール紙を原稿サイズに対応する長さで切断し、ファーストコピー時間を短縮して、利用性の良好な画像形成装置を提供することを目的としている。
【００１１】
請求項２記載の発明は、ロール紙選択切断モードとして、原稿サイズに対応する幅サイズのロール紙を選択して当該ロール紙を当該原稿サイズに対応する長さで切断する自動用紙選択切断モードと当該自動用紙選択切断モード以外の複数の切断モードを有し、切断モード選択手段でロール紙選択切断モードとして自動用紙選択モードが選択されているときにのみ、自動用紙選択切断処理を実行する切断モード対応自動用紙選択切断処理を実行することにより、ロール紙選択切断モードとして自動用紙選択切断モードが選択されると、自動的に自動用紙選択切断処理を実行し、操作を簡略化して、より一層利用性の良好な画像形成装置を提供することを目的としている。
【００１２】
請求項３記載の発明は、切断モード対応自動用紙切断選択処理機能のオン／オフを選択する機能選択手段で、切断モード対応自動用紙切断選択処理機能のオンが選択されているときにのみ、切断モード対応自動用紙切断選択処理を実行することにより、ユーザの利用形態に応じて切断モード対応自動用紙切断選択処理の実行／非実行を選択し、より一層利用性の良好な画像形成装置を提供することを目的としている。
【００１３】
請求項４記載の発明は、原稿方向設定手段で設定された原稿のセット方向に対応して原稿サイズ設定手段での原稿サイズの設定における原稿の方向を自動設定する原稿方向自動設定処理を実行することにより、設定操作を簡略化し、より一層利用性の良好な画像形成装置を提供することを目的としている。
【課題を解決するための手段】
【００１４】
請求項１記載の発明の画像形成装置は、少なくとも幅サイズの異なる複数のロール紙を収納して当該複数のロール紙の１つを選択して給紙する給紙手段と、搬送される原稿を主走査及び副走査して当該原稿の画像を読み取る読取手段と、前記読取手段の読み取った原稿の画像に基づいて前記給紙手段から給紙されるロール紙に画像を形成する画像形成手段と、前記給紙手段から前記画像形成手段に搬送される前記ロール紙を所定の長さで切断するカット手段と、を備えた画像形成装置において、前記読取手段への前記原稿のセット方向として縦方向と横方向のいずれかを設定する原稿方向設定手段と、前記読取手段の読み取る縦方向及び横方向の複数の原稿サイズを設定する原稿サイズ設定手段と、前記読取手段にセットされた原稿の少なくとも主走査幅を検知する原稿サイズ検知手段と、を備え、前記原稿サイズ検知手段の検知する前記原稿の主走査幅に基づいて前記原稿方向設定手段で設定された前記原稿セット方向と前記原稿サイズ設定手段で設定された原稿サイズを参照して、当該原稿のサイズを決定し、前記ロール紙を当該決定した原稿サイズに対応するサイズの長さに前記カット手段で切断する自動用紙選択切断処理を実行することにより、上記目的を達成している。
【００１５】
この場合、例えば、請求項２に記載するように、前記画像形成装置は、ロール紙選択切断モードとして、前記原稿サイズに対応する幅サイズの前記ロール紙を選択して当該ロール紙を当該原稿サイズに対応する長さで切断する自動用紙選択切断モードと当該自動用紙選択切断モード以外の複数の切断モードを有し、当該ロール紙選択切断モードを選択する切断モード選択手段を備え、当該切断モード選択手段で前記自動用紙選択モードが選択されているときにのみ、前記自動用紙選択切断処理を実行する切断モード対応自動用紙選択切断処理を実行するものであってもよい。
【００１６】
また、例えば、請求項３に記載するように、前記画像形成装置は、前記切断モード対応自動用紙切断選択処理機能のオン／オフを選択する機能選択手段を備え、当該機能選択手段で前記切断モード対応自動用紙切断選択処理機能のオンが選択されているときにのみ、前記切断モード対応自動用紙切断選択処理を実行するものであってもよい。
【００１７】
さらに、例えば、請求項４に記載するように、前記画像形成装置は、前記原稿方向設定手段で設定された原稿のセット方向に対応して前記原稿サイズ設定手段での原稿サイズの設定における原稿の方向を自動設定する原稿方向自動設定処理を実行するものであってもよい。
【発明の効果】
【００１８】
請求項１記載の発明の画像形成装置によれば、少なくとも幅サイズの異なる複数のロール紙を収納する給紙手段から複数のロール紙の１つを選択して画像形成手段に搬送するとともに、カット手段で当該搬送されるロール紙を切断し、画像形成手段で読取手段の読み取った原稿の画像を形成するに際して、読取手段への原稿のセット方向として縦方向と横方向のいずれかが原稿方向設定手段で設定され、読取手段の読み取る縦方向及び横方向の複数の原稿サイズが原稿サイズ設定手段で設定されると、原稿サイズ検知手段の検知する原稿の主走査幅に基づいて原稿方向設定手段で設定された原稿セット方向と原稿サイズ設定手段で設定された原稿サイズを参照して、当該原稿のサイズを決定し、ロール紙を当該決定した原稿サイズに対応するサイズの長さにカット手段で切断する自動用紙選択切断処理を実行するので、原稿の主走査幅を検知するだけで、複数サイズのロール紙から原稿サイズに対応するロール紙を選択することができるとともに、原稿サイズに基づいて原稿の副走査長を決定して、ロール紙を原稿サイズに対応する長さで切断することができ、ファーストコピー時間を短縮して、利用性を向上させることができる。
【００１９】
請求項２記載の発明の画像形成装置によれば、ロール紙選択切断モードとして、原稿サイズに対応する幅サイズのロール紙を選択して当該ロール紙を当該原稿サイズに対応する長さで切断する自動用紙選択切断モードと当該自動用紙選択切断モード以外の複数の切断モードを有し、切断モード選択手段でロール紙選択切断モードとして自動用紙選択モードが選択されているときにのみ、自動用紙選択切断処理を実行する切断モード対応自動用紙選択切断処理を実行するので、ロール紙選択切断モードとして自動用紙選択切断モードが選択されると、自動的に自動用紙選択切断処理を実行することができ、操作を簡略化して、より一層利用性を向上させることができる。
【００２０】
請求項３記載の発明の画像形成装置によれば、切断モード対応自動用紙切断選択処理機能のオン／オフを選択する機能選択手段で、切断モード対応自動用紙切断選択処理機能のオンが選択されているときにのみ、切断モード対応自動用紙切断選択処理を実行するので、ユーザの利用形態に応じて切断モード対応自動用紙切断選択処理の実行／非実行を選択することができ、より一層利用性を向上させることができる。
【００２１】
請求項４記載の発明の画像形成装置によれば、原稿方向設定手段で設定された原稿のセット方向に対応して原稿サイズ設定手段での原稿サイズの設定における原稿の方向を自動設定する原稿方向自動設定処理を実行するので、設定操作を簡略化することができ、より一層利用性を向上させることができる。
【発明を実施するための最良の形態】
【００２２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２３】
図１〜図７は、本発明の画像形成装置の一実施例を示す図であり、図１は、本発明の画像形成装置の一実施例を適用した複写装置１のブロック構成図である。
【００２４】
図１において、ファクシミリ装置１は、システム制御部２、操作表示部３、読取部４、原稿給紙部５、原稿排紙部６、転写紙給紙部７、原稿レジスト検知部８、転写紙長検知部９、原稿幅検知部１０、原稿長検知部１１、作像部１２、定着部１３、転写紙排紙部１４、画像処理部１５、原稿画像記憶部１６、原稿セット検知部１７、ロール紙カット部１８、原稿タテ・ヨコ設定部１９、原稿定形サイズ設定部２０及び定形設定切換部２１等を備えている。
【００２５】
システム制御部２は、ＣＰＵ（Central Processing Unit ）、ＲＯＭ（Read Only Memory）及びＲＡＭ（Random Access Memory）等を備えており、ＣＰＵが、ＲＯＭ内のプログラムに基づいて、ＲＡＭをワークメモリとして利用して、複写装置１の各部を制御して、複写装置１としての基本処理を実行することともに、後述する用紙選択制御処理を行う。
【００２６】
操作表示部（切断モード選択手段、機能選択手段）３は、テンキーやスタートキー等の各種操作キーを備えるとともに、ディスプレイ３０（図２〜図４参照）等を備えており、操作キーからは、コピー操作等の各種命令が入力され、ディスプレイ３０には、操作キーから入力された命令内容や複写装置１からオペレータに通知する各種情報が表示される。
【００２７】
読取部（読取手段）４は、例えば、ＣＣＤ（Charge Coupled Device ）を利用したイメージスキャナ等が利用されており、原稿読取台上にセットされた原稿を走査して、原稿の画像を所定の解像度で読み取る。
【００２８】
原稿給紙部５は、大サイズ（Ａ４、Ａ３、Ａ２、Ａ１等のサイズ）の原稿を縦方向及び横方向のいずれの方向からでも挿入可能な原稿挿入口を備え、当該原稿挿入口から挿入された原稿を読取部４に搬送する。
【００２９】
原稿排紙部６は、読取部４で画像の読み取られた原稿を図示しない排紙トレイ上に搬送して排出する。
【００３０】
転写紙給紙部（給紙手段）７は、複数種類のカット転写紙と複数種類のロール紙を適宜選択して同時に複数収納する機能を有し、選択されたカット転写紙またはロール紙を作像部１２に搬送する。また、転写紙給紙部７は、手差しトレイを備えており、手差しトレイにセットされたカット転写紙を作像部１２に搬送する。
【００３１】
原稿レジスト検知部８は、原稿給紙部５から読取部４に搬送される原稿を検知して、当該原稿の読取開始と終了のトリガとなる信号を出力する。
【００３２】
転写紙長検知部９は、転写紙がロール紙である場合に、ロール紙カット部１８でロール紙をカットする際に適切な長さでカットするために、ロール紙カット部１８に搬送されるロール紙長を検知する。
【００３３】
原稿幅検知部（原稿サイズ検知手段）１０は、原稿給紙部５から挿入された原稿の幅（主走査幅）を検知し、検知結果をシステム制御部２に出力する。
【００３４】
原稿長検知部（原稿サイズ検知手段）１１は、原稿給紙部５から挿入されて搬送される原稿の長さ（副走査長）を検知し、検知結果をシステム制御部２に出力する。
【００３５】
作像部（画像形成手段）１２は、電子写真式記録装置等が使用されており、読取部４で読み取った原稿の画像データに基づいて、転写紙給紙部７から搬送されてきたカット転写紙またはロール紙にトナーを付着させてトナー画像を形成し、トナー画像を形成したカット転写紙またはロール紙を定着部１３に搬送する。
【００３６】
すなわち、作像部１２は、感光体、除電部、帯電部、光書込部、現像部、転写部、クリーニング部等を備え、除電部で除電して帯電部で一様に帯電した感光体に、読取部４で読み取った原稿の画像データに基づいて変調したレーザ光を光書込部が照射することで静電潜像を形成して、静電潜像の形成された感光体に現像部がトナーを付着させてトナー画像を形成する。作像部１２は、感光体上に形成したトナー画像を、転写紙給紙部７から搬送されてきたカット転写紙またはロール紙に転写部で転写し、転写の完了したカット転写紙またはロール紙を定着部１３に搬送する。また、作像部１２は、転写の完了した感光体上の残留トナーをクリーニング部でクリーニングし、清浄にクリーニングされた感光体を除電部で除電した後、帯電部で一様に帯電させて、再度作像に供する。
【００３７】
定着部１３は、所定の定着温度に加熱される加熱ローラと加熱ローラに圧接されている加圧ローラを備え、作像部１２から搬送されてくるトナー画像の形成されているカット転写紙またはロール紙を搬送しつつ加熱・加圧して、トナー画像をカット転写紙またはロール紙に定着させて、定着の完了したカット転写紙またはロール紙を転写紙排紙部１４に排出する。
【００３８】
転写紙排紙部１４は、定着の完了した転写紙またはロール紙を図示しない排紙トレイ上に搬送・排出する。
【００３９】
画像処理部１５は、読取部４の読み取った原稿の画像データに各種画像処理を施す。
【００４０】
原稿画像記憶部１６は、大容量のＲＡＭあるいはハードディスク等で構成され、システム制御部２の制御下で、読取部４の読み取った画像データあるいは図示しない外部装置、例えば、パーソナルコンピュータ等から送られてきた画像データを一時記憶し、また、必要に応じて読み出される。
【００４１】
原稿セット検知部１７は、原稿給紙部５に原稿がセットされているか否かを検出し、検出結果をシステム制御部２に出力する。
【００４２】
ロール紙カット部（カット手段）１８は、転写紙給紙部７から送り出されるロール紙を適切な長さで切断する。
【００４３】
原稿タテ・ヨコ設定部（原稿方向設定手段）１９は、原稿給紙部５の原稿載置部にセットされる原稿が縦方向（タテ方向）でのセットであるか、横方向（ヨコ方向）でのセットであるかを設定するのに使用され、操作表示部３のキー操作によって設定される。
【００４４】
すなわち、複写装置１は、操作表示部３のキー操作で原稿のタテ・ヨコ設定モードが選択されると、例えば、図２に示すように、原稿タテ・ヨコ設定画面４０ａを操作表示部３のディスプレイに表示し、操作キーでタテまたはヨコが選択されると、原稿タテ・ヨコ設定部１９が、原稿給紙部５への原稿のセット方向が、当該選択されたタテまたはヨコであるとして内部メモリに設定する。
【００４５】
原稿定形サイズ設定部（原稿定形サイズ設定手段）２０は、原稿給紙部５にセットされる原稿が定形サイズの原稿である場合に、セットされる原稿の定形サイズとして、縦（タテ）方向と横（ヨコ）方向を規定して、予め複数の原稿定形サイズを設定するものであり、操作表示部３のキー操作によって設定される。また、原稿定形サイズ設定部２０は、原稿タテ・ヨコ設定部１９で縦方向または横方向が設定されると、当該設定に連動してセットされる原稿の定形サイズの方向を縦方向または横方向に自動設定する原稿方向自動設定処理を実行する。
【００４６】
すなわち、複写装置１は、操作表示部３のキー操作で原稿定形サイズ設定モードが選択されると、例えば、図３に示すように、原稿定形サイズ設定画面４０ｂを操作表示部３のディスプレイに表示し、操作キーで原稿給紙部５の原稿載置部にセットする原稿の定形サイズが入力指定されると、原稿定形サイズ設定部２０が、原稿給紙部５の原稿載置部にセットされる原稿の定形サイズを内部メモリに設定する。また、原稿定形サイズ設定部２０は、原稿タテ・ヨコ設定部１９で縦方向または横方向が設定されると、当該設定に連動してセットされる原稿の定形サイズの方向を縦方向または横方向に自動設定する原稿方向自動設定処理を実行する。なお、図２において、原稿タテ・ヨコ設定部１９でタテ方向が選択されているため、図３では、定形サイズとして、全て縦方向が選択され、２１０ｍｍに、Ａ４Ｔ（Ａ４タテ）、２９７ｍｍに、Ａ３Ｔ（Ａ３タテ）、４２０ｍｍに、Ａ２Ｔ（Ａ２タテ）、５９４ｍｍに、Ａ１Ｔ（Ａ１タテ）が選択・設定されている状態の原稿定形サイズ画面を示している。
【００４７】
定形設定切換部（機能選択手段）２０は、操作表示部３でカットモード（切断モード）として、自動用紙選択モードが選択されているときにのみ、原稿幅検知部１０の検知する原稿の主走査幅に基づいて原稿タテ・ヨコ設定部１９で設定された原稿セット方向と原稿定形サイズ設定部２０で設定された原稿サイズを参照して、当該原稿のサイズを決定し、ロール紙を当該決定した原稿サイズに対応するサイズの長さにロール紙カット部１８で切断する切断モード対応自動用紙選択切断処理のＯＮ／ＯＦＦの切換設定を行うのに使用され、操作表示部３に設けられている。
【００４８】
すなわち、複写装置１は、操作表示部３のキー操作で定形設定切換（切断モード対応自動用紙選択切断処理機能の設定切換）モードが選択されると、例えば、図４に示すように、定形設定切換画面４０ｃを操作表示部３のディスプレイに表示し、切断モード対応自動用紙選択切断処理機能のＯＮ／ＯＦＦの選択操作が行われると、当該選択操作の内容をメモリに設定する。
【００４９】
次に、本実施例の作用を説明する。本実施例の複写装置１は、予め原稿のセット方向が設定されると、当該原稿のセット方向の設定に連動して原稿定形サイズのセット方向を自動的に設定する原稿方向自動設定処理を実行し、当該自動設定された設定方向の原稿定形サイズのうちから原稿定形サイズが選択され、かつ、切断モードとして自動用紙選択モードが選択された状態で、原稿がセットされると、当該原稿の幅方向（主走査方向）の検出のみで原稿サイズを決定し、当該決定した原稿サイズに基づいて、当該原稿の画像を記録するロール紙を決定して切断する。
【００５０】
すなわち、複写装置１は、ロール紙を画像を記録する転写紙として使用する場合、そのロール紙のカットモード（切断モード）として、長さを適宜指定するフリーカットモードや原稿サイズに適切なサイズにカットする自動用紙選択モード、手動で用紙サイズを指定する手動モード等があり、自動用紙選択モードのときには、原稿のセット方向及び定形サイズが予め設定されていると、セットされる原稿の幅を検知するだけで、原稿サイズを決定し、この決定した原稿サイズに基づいて、ロール紙を決定するとともに、原稿サイズに応じてロール紙の長さ方向の切断を行う切断モード対応自動用紙選択切断処理を実行する。また、複写装置１は、この切断モード対応自動用紙選択切断処理機能を、操作表示部３の定形設定切換部２０で、ＯＮまたはＯＦＦすることができる。
【００５１】
そこで、複写装置１では、まず、図５に示すように、オペレータが、操作表示部３のキー操作で、セットする原稿がタテとヨコのいずれであるかを、図２に示した操作表示部３のディスプレイに表示される原稿タテ・ヨコ設定画面４０ａで選択し、複写装置１は、当該選択された原稿タテ・ヨコを内部メモリに設定する（ステップＳ１０１）。
【００５２】
そして、次に、オペレータが、操作表示部３のキー操作で、図３に示した操作表示部のディスプレイに表示される原稿定形サイズ設定画面４０ｂで、原稿の定形サイズを選択する。複写装置１は、定形サイズの選択が行われると、当該選択結果を選択定形サイズとして内部メモリに設定する（ステップＳ１０２）。
【００５３】
そして、複写装置１は、上述のようにして、原稿セット方向と原稿定形サイズが設定されている状態で、カットモード（切断モード）として、自動用紙選択モードが選択されていると、原稿幅検知部１０の検知する原稿の主走査幅に基づいて原稿タテ・ヨコ設定部１９で設定された原稿セット方向と原稿定形サイズ設定部２０で設定された原稿サイズを参照して、当該原稿のサイズを決定し、転写紙給紙部７から送り出すロール紙を決定するとともに、ロール紙を当該決定した原稿サイズに対応するサイズの長さにロール紙カット部１８で切断する切断モード対応自動用紙選択切断処理を実行する。
【００５４】
すなわち、複写装置１は、図６に示すように、ロール紙への画像記録において、操作表示部３のキー操作等で、カットモード（切断モード）が選択されると（ステップＳ２０１）、当該選択されたカットモードが自動用紙選択モードであるかチェックする（ステップＳ２０２）。
【００５５】
ステップＳ２０２で、カットモードが自動用紙選択モードであると、複写装置１は、自動用紙選択切断処理機能をＯＮに設定して（ステップＳ２０３）、セットされた原稿の主走査幅を原稿幅検知部１０が検知すると、当該検知した原稿主走査幅と、図５の処理で予め設定されている原稿タテ・ヨコ設定内容及び当該原稿タテ・ヨコ設定でタテ・ヨコ方向が自動決定されて設定されている原稿定形サイズを参照して、原稿サイズを決定することで、原稿副走査長を決定する（ステップＳ２０４）。
【００５６】
複写装置１は、原稿サイズを決定すると、当該原稿サイズに対応する幅サイズのロール紙のセットされている給紙部（給紙トレイ）を選択して転写紙給紙部７からロール紙の搬送を開始し（ステップＳ２０５）、搬送を開始したロール紙をステップＳ２０４で決定した原稿副走査長に合わせた転写紙長さでロール紙カット部１８によってカットする（ステップＳ２０６）。
【００５７】
複写装置１は、ロール紙のカットを行うと、カットしたロール紙を作像部１２に搬送して、作像部１２で読取部４によって読み取った原稿の画像を当該ロール紙に記録出力し、画像の記録の完了したロール紙を定着部１３でトナー画像を定着させた後、転写紙排紙部１４で転写紙トレイ上に搬送・排出する（ステップＳ２０７）。
【００５８】
上記ステップＳ２０２で、カットモードが自動用紙選択モード以外のカットモードであると、複写装置１は、自動用紙選択切断処理機能をＯＦＦにし（ステップＳ２０８）、給紙トレイを操作表示部３での選択に応じて選択する（ステップＳ２０９）。
【００５９】
複写装置１は、次に、セットされた原稿の主走査幅を原稿幅検知部１０で検知し（ステップＳ２１０）、原稿副走査長を原稿長検知部１１で検知して（ステップＳ２１１）、当該検知結果の原稿長さに応じた転写紙長さで、転写紙給紙部７から搬送を開始したロール紙をロール紙カット部１８によってカットする（ステップＳ２０６）。
【００６０】
複写装置１は、ロール紙のカットを行うと、カットしたロール紙を作像部１２に搬送して、作像部１２で読取部４によって読み取った原稿の画像を当該ロール紙に記録出力し、画像の記録の完了したロール紙を定着部１３でトナー画像を定着させた後、転写紙排紙部１４で転写紙トレイ上に搬送・排出する（ステップＳ２０７）。
【００６１】
このように、本実施例の複写装置１は、少なくとも幅サイズの異なる複数のロール紙を収納する転写紙給紙部７から複数のロール紙の１つを選択して作像部１２に搬送するとともに、ロール紙カット部１８で当該搬送されるロール紙を切断し、作像部１２で読取部４の読み取った原稿の画像を形成するに際して、読取部１２への原稿のセット方向として縦方向と横方向のいずれかが原稿タテ・ヨコ設定部１９で設定され、読取部４の読み取る縦方向及び横方向の複数の原稿サイズが原稿定形サイズ設定部２０で設定されると、原稿幅検知部１０の検知する原稿の主走査幅に基づいて原稿タテ・ヨコ設定部１９で設定された原稿セット方向と原稿定形サイズ設定部２０で設定された原稿サイズを参照して、当該原稿のサイズを決定し、ロール紙を当該決定した原稿サイズに対応するサイズの長さにロール紙カット部１８で切断する自動用紙選択切断処理を実行している。
【００６２】
したがって、原稿の主走査幅を検知するだけで、複数サイズのロール紙から原稿サイズに対応するロール紙を選択することができるとともに、原稿サイズに基づいて原稿の副走査長を決定して、ロール紙を原稿サイズに対応する長さで切断することができ、ファーストコピー時間を短縮して、利用性を向上させることができる。
【００６３】
また、本実施例の複写装置１は、操作表示部３でロール紙選択切断モード（カットモード）として自動用紙選択モードが選択されているときにのみ、自動用紙選択切断処理を実行する切断モード対応自動用紙選択切断処理を実行している。
【００６４】
したがって、ロール紙選択切断モードとして自動用紙選択切断モードが選択されると、自動的に自動用紙選択切断処理を実行することができ、操作を簡略化して、より一層利用性を向上させることができる。
【００６５】
さらに、本実施例の複写装置１は、原稿タテ・ヨコ設定部１９で設定された原稿のセット方向に対応して原稿定形サイズ設定部２０での原稿サイズの設定における原稿の方向を自動設定する原稿方向自動設定処理を実行する。
【００６６】
したがって、設定操作を簡略化することができ、より一層利用性を向上させることができる。
【００６７】
また、複写装置１は、上述のように、切断モード対応自動用紙選択切断処理機能を、操作表示部３の定形設定切換部２１で、ＯＮまたはＯＦＦに選択設定することができ、この選択設定に応じて処理を行う。
【００６８】
すなわち、複写装置１は、図７に示すように、ロール紙への画像記録において、操作表示部３のキー操作等で、カットモードが選択されると（ステップＳ３０１）、操作表示部３の定形設定切換部２１で、切断モード対応自動用紙選択切断処理機能のＯＮが選択されているか、ＯＦＦが選択されているかをチェックし（ステップＳ３０２）、切断モード対応自動用紙選択切断処理機能のＯＮが選択されていると、カットモード（切断モード）が自動用紙選択モードであるかチェックする（ステップＳ３０３）。
【００６９】
ステップＳ３０３で、カットモードが自動用紙選択モードであると、複写装置１は、自動用紙選択切断処理機能をＯＮに設定して（ステップＳ３０４）、セットされた原稿の主走査幅を原稿幅検知部１０が検知すると、当該検知した原稿主走査幅と、図５の処理で予め設定されている原稿タテ・ヨコ設定内容及び当該原稿タテ・ヨコ設定でタテ・ヨコ方向が自動決定されて設定されている原稿定形サイズを参照して、原稿サイズを決定することで、原稿副走査長を決定する（ステップＳ３０５）。
【００７０】
複写装置１は、原稿サイズを決定すると、当該原稿サイズに対応する幅サイズのロール紙のセットされている給紙部（給紙トレイ）を選択して転写紙給紙部７からロール紙の搬送を開始し（ステップＳ３０６）、搬送を開始したロール紙をステップＳ２０４で決定した原稿副走査長に合わせた転写紙長さでロール紙カット部１８によってカットする（ステップＳ３０７）。
【００７１】
複写装置１は、ロール紙のカットを行うと、カットしたロール紙を作像部１２に搬送して、作像部１２で読取部４によって読み取った原稿の画像を当該ロール紙に記録出力し、画像の記録の完了したロール紙を定着部１３でトナー画像を定着させた後、転写紙排紙部１４で転写紙トレイ上に搬送・排出する（ステップＳ３０８）。
【００７２】
上記ステップＳ３０３で、カットモードが自動用紙選択モード以外のカットモードであると、複写装置１は、自動用紙選択切断処理機能をＯＦＦにして、給紙トレイを操作表示部３での選択に応じて選択する（ステップＳ３０９）。
【００７３】
複写装置１は、次に、セットされた原稿の主走査幅を原稿幅検知部１０で検知し（ステップＳ３１０）、原稿副走査長を原稿長検知部１１で検知して（ステップＳ３１１）、当該検知結果の原稿長さに応じた転写紙長さで、転写紙給紙部７から搬送を開始したロール紙をロール紙カット部１８によってカットする（ステップＳ３０７）。
【００７４】
複写装置１は、ロール紙のカットを行うと、カットしたロール紙を作像部１２に搬送して、作像部１２で読取部４によって読み取った原稿の画像を当該ロール紙に記録出力し、画像の記録の完了したロール紙を定着部１３でトナー画像を定着させた後、転写紙排紙部１４で転写紙トレイ上に搬送・排出する（ステップＳ３０８）。
【００７５】
また、複写装置１は、ステップＳ３０２で、切断モード対応自動用紙選択切断処理機能のＯＦＦが選択されていると、原稿サイズ自動決定機能をＯＦＦにして、給紙トレイを操作表示部３での選択に応じて選択する（ステップＳ３０９）。
【００７６】
複写装置１は、次に、セットされた原稿の主走査幅を原稿幅検知部１０で検知し（ステップＳ３１０）、原稿副走査長を原稿長検知部１１で検知して（ステップＳ３１１）、当該検知結果に応じた転写紙長さで、転写紙給紙部７から搬送を開始したロール紙をロール紙カット部１８によってカットする（ステップＳ３０７）。
【００７７】
複写装置１は、ロール紙のカットを行うと、カットしたロール紙を作像部１２に搬送して、作像部１２で読取部４によって読み取った原稿の画像を当該ロール紙に記録出力し、画像の記録の完了したロール紙を定着部１３でトナー画像を定着させた後、転写紙排紙部１４で転写紙トレイ上に搬送・排出する（ステップＳ３０８）。
【００７８】
このように、本実施例の複写装置１は、切断モード対応自動用紙切断選択処理機能のオン／オフを選択する操作表示部３の定形設定切換部２１で、切断モード対応自動用紙切断選択処理機能のオン（ＯＮ）が選択されているときにのみ、切断モード対応自動用紙切断選択処理を実行する。
【００７９】
したがって、ユーザの利用形態に応じて切断モード対応自動用紙切断選択処理の実行／非実行を選択することができ、より一層利用性を向上させることができる。
【００８０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８１】
原稿サイズをより一層速やかに決定して、ファーストコピー時間をより一層短くし、利用性の良好な複写装置、ファクシミリ装置等の画像形成装置に適用することができる。
【図面の簡単な説明】
【００８２】
【図１】本発明の画像形成装置の一実施例を適用した複写装置のブロック構成図。
【図２】図１の複写装置の操作表示部のディスプレイに表示する原稿タテ・ヨコ設定画面の一例を示す図。
【図３】図１の複写装置の操作表示部のディスプレイに表示する原稿定形サイズ設定画面の一例を示す図。
【図４】図１の複写装置の操作表示部のディスプレイに表示する定形設定切換画面の一例を示す図。
【図５】図１の複写装置による原稿タテ・ヨコ及び定形サイズ設定処理を示すフローチャート。
【図６】図１の複写装置による原稿サイズ自動決定処理を伴う転写紙カット処理を示すフローチャート。
【図７】図１の複写装置による原稿サイズ自動決定処理を伴う他の転写紙カット処理を示すフローチャート。
【符号の説明】
【００８３】
１  ファクシミリ装置
２  システム制御部
３  操作表示部
４  読取部
５  原稿給紙部
６  原稿排紙部
７  転写紙給紙部
８  原稿レジスト検知部
９  転写紙長検知部
１０  原稿幅検知部
１１  原稿長検知部
１２  作像部
１３  定着部
１４  転写紙排紙部
１５  画像処理部
１６  原稿画像記憶部
１７  原稿セット検知部
１８  ロール紙カット部
１９  原稿タテ・ヨコ設定部
２０  原稿定形サイズ設定部
２１  定形設定切換部
３０  ディスプレイ
４０ａ  原稿タテ・ヨコ設定画面
４０ｂ  原稿定形サイズ設定画面
４０ｃ  定形設定切換画面
【図１】
2006044159.tif 000003
【図２】
2006044159.tif 000004
【図３】
2006044159.tif 000005
【図４】
2006044159.tif 000006
【図５】
2006044159.tif 000007
【図６】
2006044159.tif 000008
【図７】
2006044159.tif 000009